(57)【要約】      （修正有）【課題】レーザダイオードに形成された複数のリードをレーザ駆動回路基板に形成されたリード挿入孔に確実に挿入することにより、当該挿入を行う際の挿入ミスを防止することができる光学走査装置を提供する。【解決手段】レーザ駆動用回路基板１０には、レーザダイオード２に設けられた複数のリード２ｃが挿入されるリード挿入用孔１０ａが形成されている。リード挿入用孔１０ａに挿入された各リード２ｃを、リード挿入用孔１０ａの外周に沿って形成されたリード固定用孔１０ｂの方向に移動させ、開口部１０ｃを介して各リード固定用孔１０ｂに圧入する。各リード固定用孔１０ｂは、リード２ｃが有する径よりもやや大きな径を有し、開口部１０ｃは、リード２ｃが有する径よりもやや小さい幅を有しているため、上記圧入状態が解除されることはなく、リード１０ｂは、リード固定用孔１０ｂにより保持、固定されることになる。【選択図】    図７
2005070495.tif 000002
【特許請求の範囲】
【請求項１】
複数のリードを有するレーザダイオードと、前記レーザダイオードを保持するレーザホルダと、前記複数のリードが挿入されるリード挿入用孔が形成されたレーザ駆動回路基板とを備える光学走査装置であって、
前記リード挿入用孔は、前記複数のリードの各々が有する径よりも十分に大きな径を有しており、前記レーザダイオードが有する前記複数のリードの全てが前記リード挿入用孔に挿入可能であることを特徴とする光学走査装置。
【請求項２】
前記レーザ駆動回路基板には、前記リード挿入用孔の外周に沿って、前記複数のリードを固定するためのリード固定用孔が複数形成されており、前記リード固定用孔が、前記複数のリードの各々が有する径よりもやや大きな径を有するとともに、前記リード挿入用孔と前記リード固定用孔の境界に形成された開口部が、前記複数のリードの各々が有する径よりもやや小さい幅を有することを特徴とする請求項１に記載の光学走査装置。
【請求項３】
前記リード挿入用孔に挿入された前記複数のリードの各々を、前記開口部を介して前記リード固定用孔に圧入することを特徴とする請求項２に記載の光学走査装置。
【請求項４】
複数のリードを有するレーザダイオードと、前記レーザダイオードを保持するレーザホルダと、前記レーザダイオードが接続され、固定されるレーザ駆動回路基板とを備える光学走査装置であって、
前記レーザ駆動回路基板には、前記レーザダイオードが有する前記複数のリードの全てが挿入可能な切り欠き部が形成されるとともに、前記切り欠き部の一端面に沿って前記複数のリードを固定するためのリード固定用孔が複数形成されており、前記リード固定用孔が、前記複数のリードの各々が有する径よりもやや大きな径を有するとともに、前記切り欠き部と前記リード固定用孔の境界に形成された開口部が、前記複数のリードの各々が有する径よりもやや小さい幅を有することを特徴とする光学走査装置。
【請求項５】
前記切り欠き部に挿入された前記複数のリードの各々を、前記開口部を介して前記リード固定用孔に圧入することを特徴とする請求項４に記載の光学走査装置。
【請求項６】
複数のリードを有するレーザダイオードと、前記レーザダイオードを保持するレーザホルダと、前記レーザダイオードが接続され、固定されるレーザ駆動回路基板とを備える光学走査装置であって、
前記レーザ駆動回路基板の一端面に沿って前記複数のリードを固定するためのリード固定用孔が複数形成されており、前記リード固定用孔が、前記複数のリードの各々が有する径よりもやや大きな径を有するとともに、前記リード固定用孔に形成された開口部が、前記複数のリードの各々が有する径よりもやや小さい幅を有することを特徴とする光学走査装置。
【請求項７】
前記複数のリードの各々を、前記開口部を介して前記リード固定用孔に圧入することを特徴とする請求項６に記載の光学走査装置。
【発明の詳細な説明】
【技術分野】
【０００１】
本発明は、レーザビームプリンタやレーザファクシミリ等で使用する光学走査装置に関する。
【背景技術】
【０００２】
近年、レーザーダイオード（ＬＤ）を光源として用いたレーザービームプリンタやレーザーファクシミリ等の光学走査装置が開発されている。この様な光学走査装置においては、光源であるレーザーダイオードから発生するレーザビームを、コリメータレンズを用いて平行光束にし、その後、ポリゴンミラー等の偏向手段により偏向し、感光体上に走査することにより静電潜像を形成している。
【０００３】
又、この様な光学走査装置においては、レーザビームの出力を得るために、レーザダイオードを駆動用回路が実装されたレーザ駆動回路基板に取り付ける必要があるが、一般に、レーザダイオードを所定のレーザホルダに保持・固定させ、次いで、当該レーザホルダに形成された位置決め用ピンをレーザ駆動回路基板に形成された位置決め用孔に挿入し、レーザダイオードの位置決めを行うことにより、レーザダイオードに形成された複数のリードがレーザ駆動回路基板に形成された複数のリード挿入孔に挿入され、レーザダイオードがレーザ駆動回路基板に取り付けられる構成となっている（例えば、特許文献１参照）。
【特許文献１】特開平５−６０９５８号公報（第２頁、第４図）
【発明の開示】
【発明が解決しようとする課題】
【０００４】
ところで、レーザダイオードに形成されたリードは、一般に、細長い形状を有しており、又、１つのレーザダイオードには複数のリードが形成されているため、リード先端間のピッチにバラツキが生じる場合がある。又、レーザダイオードに対するハンドリングや梱包・輸送・組立等によりリードが変形し、リード先端間のピッチが大きく変化してしまう場合がある。しかしながら、上記従来の光学走査装置では、この様に、リード先端間のピッチにバラツキや変化が生じた場合、レーザ駆動回路基板に形成された複数のリード挿入孔の各々が、複数のリードの各々が有する径よりも十分に大きな径を有していないため、各リードを各リード挿入孔に挿入することができず、又、当該挿入ミスにより、リードが大きく変形してしまう場合があり、結果として、レーザダイオードをレーザ駆動回路基板に取り付けることが困難になっていた。
【０００５】
本発明は、上記問題点を解決し、レーザダイオードに形成された複数のリードをレーザ駆動回路基板に形成されたリード挿入孔に確実に挿入することができるとともに、上記挿入を行う際の挿入ミスを防止することができる光学走査装置を提供することを目的とする。
【課題を解決するための手段】
【０００６】
上記目的を達成するために、請求項１に記載の光学走査装置は、複数のリードを有するレーザダイオードと、レーザダイオードを保持するレーザホルダと、複数のリードが挿入されるリード挿入用孔が形成されたレーザ駆動回路基板とを備え、リード挿入用孔は、複数のリードの各々が有する径よりも十分に大きな径を有しており、レーザダイオードが有する複数のリードの全てがリード挿入用孔に挿入可能であることを特徴とする。
【０００７】
又、請求項２に記載の光学走査装置は、レーザ駆動回路基板には、リード挿入用孔の外周に沿って、複数のリードを固定するためのリード固定用孔が複数形成されており、リード固定用孔が、複数のリードの各々が有する径よりもやや大きな径を有するとともに、リード挿入用孔とリード固定用孔の境界に形成された開口部が、複数のリードの各々が有する径よりもやや小さい幅を有することを特徴とする。
【０００８】
又、請求項３に記載の光学走査装置は、リード挿入用孔に挿入された複数のリードの各々を、開口部を介してリード固定用孔に圧入することを特徴とする。
【０００９】
又、請求項４に記載の光学走査装置は、複数のリードを有するレーザダイオードと、レーザダイオードを保持するレーザホルダと、レーザダイオードが接続され、固定されるレーザ駆動回路基板とを備え、レーザ駆動回路基板には、レーザダイオードが有する複数のリードの全てが挿入可能な切り欠き部が形成されるとともに、切り欠き部の一端面に沿って複数のリードを固定するためのリード固定用孔が複数形成されており、リード固定用孔が、複数のリードの各々が有する径よりもやや大きな径を有するとともに、切り欠き部とリード固定用孔の境界に形成された開口部が、複数のリードの各々が有する径よりもやや小さい幅を有することを特徴とする。
【００１０】
又、請求項５に記載の光学走査装置は、切り欠き部に挿入された複数のリードの各々を、開口部を介してリード固定用孔に圧入することを特徴とする。
【００１１】
又、請求項６に記載の光学走査装置は、複数のリードを有するレーザダイオードと、レーザダイオードを保持するレーザホルダと、レーザダイオードが接続され、固定されるレーザ駆動回路基板とを備え、レーザ駆動回路基板の一端面に沿って複数のリードを固定するためのリード固定用孔が複数形成されており、リード固定用孔が、複数のリードの各々が有する径よりもやや大きな径を有するとともに、リード固定用孔に形成された開口部が、複数のリードの各々が有する径よりもやや小さい幅を有することを特徴とする。
【００１２】
又、請求項７に記載の光学走査装置は、複数のリードの各々を、開口部を介してリード固定用孔に圧入することを特徴とする。
【発明の効果】
【００１３】
請求項１に記載の発明によれば、レーザ駆動回路基板に形成されたリード挿入用孔は、複数のリードの各々が有する径よりも十分に大きな径を有しており、レーザダイオードが有する複数のリードの全てがリード挿入用孔に挿入可能であるため、各リードの先端間のピッチにバラツキが生じていたり、各リードが変形している場合であっても、各リードをリード挿入用孔に容易かつ確実に挿入することが可能になり、挿入ミスによるリードの変形等を確実に防止することができる。
【００１４】
又、請求項２に記載の発明によれば、各リード固定用孔が、複数のリードの各々が有する径よりもやや大きな径を有するとともに、リード挿入用孔とリード固定用孔の境界に形成された開口部が、複数のリードの各々が有する径よりもやや小さい幅を有しているため、一旦、リード固定用孔にリードを圧入すれば、当該圧入状態が解除されることはない。従って、リード固定用孔により、リードを確実に保持、固定することが可能になる。
【００１５】
又、請求項３に記載の発明によれば、リード挿入用孔に挿入された複数のリードの各々を、開口部を介してリード固定用孔に圧入する構成としているため、各リードが変形し、ピッチにバラツキが生じている状態でリード挿入用孔に挿入された場合であっても、各リードをリード固定用孔に容易かつ確実に圧入することが可能になる。
【００１６】
又、請求項４に記載の発明によれば、レーザ駆動回路基板には、レーザダイオードが有する複数のリードの全てが挿入可能な切り欠き部が形成されているため、各リードの先端間のピッチにバラツキが生じていたり、各リードが変形している場合であっても、各リードを切り欠き部に容易かつ確実に挿入することが可能になり、挿入ミスによるリードの変形等を確実に防止することができる。又、リード固定用孔が、複数のリードの各々が有する径よりもやや大きな径を有するとともに、切り欠き部とリード固定用孔の境界に形成された開口部が、複数のリードの各々が有する径よりもやや小さい幅を有するため、一旦、リード固定用孔にリードを圧入すれば、当該圧入状態が解除されることはない。従って、リード固定用孔により、リードを確実に保持、固定することが可能になる。
【００１７】
又、請求項５に記載の発明によれば、切り欠き部に挿入された前記複数のリードの各々を、前記開口部を介して前記リード固定用孔に圧入する構成としているため、各リードが変形し、ピッチにバラツキが生じている状態で切り欠き部に挿入された場合であっても、各リードをリード固定用孔に容易かつ確実に圧入することが可能になる。
【００１８】
又、請求項６に記載の発明によれば、レーザ駆動回路基板の一端面に沿って複数のリードを固定するためのリード固定用孔が複数形成されているため、各リードの先端間のピッチにバラツキが生じていたり、各リードが変形している場合であっても、各リードをリード固定用孔に容易かつ確実に挿入することが可能になり、挿入ミスによるリードの変形等を確実に防止することができる。又、リード固定用孔が、複数のリードの各々が有する径よりもやや大きな径を有するとともに、リード固定用孔に形成された開口部が、複数のリードの各々が有する径よりもやや小さい幅を有しているため、一旦、リード固定用孔にリードを圧入すれば、当該圧入状態が解除されることはない。従って、リード固定用孔により、リードを確実に保持、固定することが可能になる。
【００１９】
又、請求項７に記載の発明によれば、複数のリードの各々を、開口部を介してリード固定用孔に圧入する構成としているため、各リードが変形し、ピッチにバラツキが生じている場合であっても、各リードをリード固定用孔に容易かつ確実に圧入することが可能になる。
【発明を実施するための最良の形態】
【００２０】
以下、図面を参照して、本発明の実施形態を詳細に説明する。図１は、本発明の実施形態に係る光学走査装置の全体構成を示す概略図であり、図２は、本発明の実施形態に係る光学走査装置におけるビーム発生部の概略構成を示す斜視図であり、図３は、本発明の実施形態に係る光学走査装置におけるビーム発生部の概略構成を示す断面図である。
【００２１】
図１に示された光学走査装置は、シングルビーム型の光学走査装置であり、これは、図１に示した光源ユニット５０に設けられたビーム発生部１の光源であるレーザダイオード２からレーザビームＢを発生させ、当該レーザビームＢをコリメータレンズ３によって略平行化した上で、シリンドリカルレンズ４により集光させ、その後、光偏向素子である回転多面鏡５の反射面６に入射させ、回転多面鏡５の回転による主走査によりそれぞれ主走査方向Ｘに走査され、回転多面鏡５とともに走査結像手段を構成する結像レンズ７を経て、回転ドラム８の副走査方向Ｙへの回転により回転ドラム８上の結像面である感光体に結像させ、感光体に静電潜像を形成するものである。
【００２２】
ビーム発生部１に設けられた光源であるレーザダイオード２から発生したレーザビームＢは、光学ユニット５０に設けられたコリメータレンズ３により略平行光束とされ、光学ユニット５０に設けられたアパーチャ１８により断面形状が整形される。このコリメータレンズ３は、鏡筒２２に内蔵、保持されており、又、アパーチャ１８には、コリメータレンズ３の端面に対向し、コリメータレンズ３により略平行光束とされたレーザビームＢを整形するためのスリット２１が形成されている。又、アパーチャ１８には、例えば、金属板をプレス加工したものや、樹脂射出成形（例えば、ＡＢＳ樹脂の射出成形）により加工したものが用いられ、スリット２１の高精度な内径寸法が実現されたものが用いられる。
【００２３】
アパーチャ１８により整形されたレーザビームＢは、シリンドリカルレンズ４により、回転多面鏡５の反射面６に線状に集光された後、回転多面鏡５の反射面６に入射する。
【００２４】
この回転多面鏡５は、多面体（一般には５〜１０角程度）のミラーであり、中心軸に取り付けられた回転モータ（図示せず）により一定の角速度で高速回転を行う。シリンドリカルレンズ４により集光されたレーザビームＢは、回転多面鏡５により角度を変えて放射状に反射され、回転ドラム８のＸ軸方向（主走査方向）に当該レーザ光を走査することが可能となる。
【００２５】
結像レンズ７は、球面レンズ部とトーリックレンズ部からなり、シリンドリカルレンズ４と同様に感光体上の点像の歪を防ぐ機能を有するとともに、前記点像が感光体上で主走査方向に等速度で走査されるように補正する機能を有する。この様な補正を必要とするのは、回転多面鏡５から回転ドラム８までの距離は、回転ドラム８の端部と中央部では異なるため、一定速度で回転する回転多面鏡５に一定間隔でＯＮ／ＯＦＦを繰り返すレーザ光を照射しても、回転ドラム８上での走査速度は一定にならないため、回転多面鏡５により広がったレーザ光の反射角度を絞り込んで偏向し、回転ドラム８上に等間隔にレーザ光を投光する必要があるからである。
【００２６】
又、図１に示す様に、レーザダイオード２は、レーザホルダ９に保持されており、レーザ駆動回路基板１０とともに光学箱１１の開口部１２を介して側壁１３に組み付けられる。
【００２７】
又、図２に示す様に、本実施形態に係る光学走査装置におけるビーム発生部１は、レーザダイオード２、レーザホルダ９、及びレーザ駆動回路基板１０により構成されている。このレーザダイオード２は、発光部２ａ、及び基板部２ｂを有しており、レーザホルダ９に階段状に形成された保持用孔９ａに発光部２ａを圧入するとともに、基板部２ｂを保持用孔９ａに形成された段部に押し当て、レーザダイオード２をレーザホルダ９に嵌入することにより、当該レーザダイオード２がレーザホルダ９により固定・保持され、レーザダイオード２が位置決めされる構成となっている（図３参照）。又、レーザダイオード２は、複数のリード２ｃ（図２、図３においては、３個のリード２ｃ）を有している。
【００２８】
図４は、本発明の実施形態に係る光学走査装置におけるレーザ駆動回路基板の概略構成を示す正面図である。図４に示す様に、レーザ駆動回路基板１０には、レーザダイオード２が有する複数のリード２ｃが挿入されるリード挿入用孔１０ａと、複数のリード２ｃを固定するためのリード固定用孔１０ｂが形成されている。このリード固定用孔１０ｂは、リード挿入用孔１０ａの外周に沿って複数個（図４においては、リード２ｃと同数の３個）形成されており、各リード固定用孔１０ｂは、図５に示す様に、各リード２ｃが有する径Ｒ2cよりもやや大きな径Ｒ10bを有している（即ち、Ｒ10b＞Ｒ2c）。又、図５に示す様に、リード挿入用孔１０ａと各リード固定用孔１０ｂの境界に形成された開口部１０ｃ（即ち、図４に示した波線部分）の幅Ｗは、各リード２ｃが有する径Ｒ2cよりもやや小さくなる様に形成されている（即ち、Ｒ2c＞Ｗ）。
【００２９】
レーザダイオード２をレーザ駆動回路基板１０へ取り付る際には、まず、上述のごとく、レーザホルダ９の保持用孔９ａにレーザダイオード２の発光部２ａを圧入するとともに、基板部２ｂを保持用孔９ａに形成された段部に押し当て、レーザダイオード２をレーザホルダ９に嵌入することにより、レーザダイオード２をレーザホルダ９に固定・保持させる。又、図３に示す様に、レーザホルダ９には、２個のレーザホルダ位置決め用ピン９ｂが形成されるとともに、レーザ駆動回路基板１０には、レーザホルダ位置決め用孔１０ｄが形成されており、レーザホルダ位置決め用ピン９ｂの先端部９ｃをレーザ駆動回路基板１０に形成されたレーザホルダ位置決め用孔１０ｄに挿入することにより、レーザダイオード２を保持するレーザホルダ９がレーザ駆動回路基板１０に対して位置決めされ、取り付けられる。
【００３０】
この際、図２〜図４に示す様に、レーザ駆動回路基板１０には、１個のリード挿入用孔１０ａのみが形成されているが、当該リード挿入用孔１０ａは、各リード２ｃが有する径よりも十分に大きな径を有しており、レーザダイオード２が有する全てのリード２ｃが当該リード挿入用孔１０ａに挿入可能であるため、図６に示す様に、複数のリード２ｃを当該リード挿入用孔１０ａに容易かつ確実に挿入することが可能になる。尚、図７は、図６に示した状態を、図６の矢印の方向から見た場合の正面図である。
【００３１】
次いで、リード挿入用孔１０ａに挿入された各リード２ｃを、ピンセット等を用いて、リード挿入用孔１０ａの外周に沿って形成されたリード固定用孔１０ｂの方向（即ち、図７に示した各矢印の方向）に移動させ、図４において説明した開口部１０ｃを介して各リード固定用孔１０ｂに圧入する。この際、上述のごとく、各リード固定用孔１０ｂは、各リード２ｃが有する径よりもやや大きな径を有しており、かつ、リード挿入用孔１０ａと各リード固定用孔１０ｂの境界に形成された開口部１０ｃが、各リード２ｃが有する径よりもやや小さい幅を有しているため、上記圧入状態が解除されることはなく、一旦、リード固定用孔１０ｂに圧入されたリード１０ｂは、リード固定用孔１０ｂにより保持、固定されることになる。各リード２ｃがリード固定用孔１０ｂにより保持、固定された状態を図８に示す。
【００３２】
次いで、リード固定用孔１０ｂの周囲に設けられた電気導通部（ランド）に対して、各リード２ｃの端部を半田付けすることにより、レーザダイオード２がレーザ駆動回路基板１０に対して接続され、固定される構成となっている。尚、上記レーザホルダ９は、レーザダイオード２の放熱効果を高めるために、例えば、アルミダイカスト等の熱伝導率の高い金属により形成されている。
【００３３】
以上に説明した様に、本実施形態においては、レーザダイオード２を保持するレーザホルダ９をレーザ駆動回路基板１０に取り付ける際に、レーザ駆動回路基板１０に形成されたリード挿入用孔１０ａが、レーザダイオード２が有する全てのリード２ｃを挿入し得るのに十分大きな径を有しているため、各リード２ｃの先端間のピッチにバラツキが生じていたり、各リード２ｃが変形している場合であっても、各リード２ｃを当該リード挿入用孔１０ａに容易かつ確実に挿入することが可能になり、挿入ミスによるリードの変形等を確実に防止することができる。
【００３４】
又、リード挿入用孔１０ａに挿入された各リード２ｃを、リード挿入用孔１０ａの外周に沿って形成されたリード固定用孔１０ｂの方向に移動させ、開口部１０ｃを介して各リード固定用孔１０ｂに圧入する構成としているため、各リード２ｃが変形し、ピッチにバラツキが生じている状態でリード挿入用孔１０ａに挿入された場合であっても、各リード２ｃをリード固定用孔１０ｂに容易かつ確実に圧入することが可能になる。
【００３５】
又、各リード固定用孔１０ｂは、各リード２ｃが有する径よりもやや大きな径を有するとともに、リード挿入用孔１０ａと各リード固定用孔１０ｂの境界に形成された開口部１０ｃが、各リード２ｃが有する径よりもやや小さい幅を有しているため、一旦、リード固定用孔１０ｂにリード１０ｂを圧入すれば、当該圧入状態が解除されることはない。従って、リード固定用孔１０ｂにより、リード２ｃを確実に保持、固定することが可能になる。
【００３６】
尚、本発明は、上記実施形態に限定されるものではなく、本発明の趣旨に基づいて各部の構造、形状等を適宜変更することが可能であり、それらを本発明の範囲から除外するものではない。
【００３７】
例えば、上記実施形態においては、図４において説明した様に、レーザ駆動回路基板１０に、レーザダイオード２が有する複数のリード２ｃが挿入されるリード挿入用孔１０ａと、複数のリード２ｃを固定するためのリード固定用孔１０ｂを形成する構成としたが、図９に示す様に、リード挿入用孔１０ａの代わりにレーザダイオード２が有する複数のリード２ｃが挿入される切り欠き部１０ｅをレーザ駆動回路基板１０に形成し、当該切り欠き部１０ｅの一端面１０ｆに沿って複数のリード２ｃを固定するためのリード固定用孔１０ｇを形成する構成としても良い。この場合も、上述のリード挿入用孔１０ａを形成する場合と同様に、レーザダイオード２が有する複数のリード２ｃの全てが切り欠き部１０ｅに挿入可能となるように当該切り欠き部１０ｅを形成し、又、上述の図４の場合と同様に、リード固定用孔１０ｇを複数個（図９においては、リード２ｃと同数の３個）形成し、各リード固定用孔１０ｇが、各リード２ｃが有する径よりもやや大きな径を有する様にする。又、切り欠き部１０ｅと各リード固定用孔１０ｇの境界に形成された開口部１０ｈが、各リード２ｃが有する径よりもやや小さい幅を有する様にする。
【００３８】
以上の構成の下、上述の実施形態において説明した場合と同様に、レーザダイオード２をレーザホルダ９に固定・保持させ、レーザダイオード２を保持するレーザホルダ９をレーザ駆動回路基板１０に対して位置決めし、取り付け、次いで、レーザダイオード２が有する複数のリード２ｃを切り欠き部１０ｅに挿入する。そして、切り欠き部１０ｅに挿入された各リード２ｃを、リード固定用孔１０ｇの方向に移動させ、開口部１０ｈを介して各リード固定用孔１０ｇに圧入し、各リード固定用孔１０ｇの周囲に設けられた電気導通部（ランド）に対して、各リード２ｃの端部を半田付けし、レーザダイオード２をレーザ駆動回路基板１０に対して接続し、固定させる。この様な構成にすることにより、上述の実施形態の場合と全く同様の効果を得ることができる様になる。
【００３９】
又、図１０に示す様に、レーザ駆動回路基板１０の一端面１０ｉに沿って複数のリード２ｃを固定するためのリード固定用孔１０ｊを形成する構成としても良い。この場合も、上述の図４の場合と同様に、リード固定用孔１０ｊを複数個（図１０においては、リード２ｃと同数の３個）形成し、各リード固定用孔１０ｊが、各リード２ｃが有する径よりもやや大きな径を有する様にする。又、各リード固定用孔１０ｊに形成された（即ち、レーザ駆動回路基板１０の一端面１０ｉ上であって、各リード固定用孔１０ｊとの境界に形成された）開口部１０ｋが、各リード２ｃが有する径よりもやや小さい幅を有する様にする。
【００４０】
この場合も、上述の実施形態において説明した場合と同様に、レーザダイオード２をレーザホルダ９に固定・保持させ、レーザダイオード２を保持するレーザホルダ９をレーザ駆動回路基板１０に対して位置決めし、取り付ける。次いで、各リード２ｃをリード固定用孔１０ｊの方向に移動させ、開口部１０ｋを介して各リード固定用孔１０ｊに圧入し、各リード固定用孔１０ｊの周囲に設けられた電気導通部（ランド）に対して、各リード２ｃの端部を半田付けし、レーザダイオード２をレーザ駆動回路基板１０に対して接続し、固定させる。この様な構成にすることにより、上述の実施形態の場合と同様の効果を得ることができる様になる。尚、この場合は、レーザダイオード２を保持するレーザホルダ９がレーザ駆動回路基板１０に対して位置決めされ、取り付け可能となる位置に、２個のレーザホルダ位置決め用ピン９ｂをレーザホルダ９に形成するとともに、レーザホルダ位置決め用孔１０ｄをレーザ駆動回路基板１０に形成する必要がある。
【００４１】
又、上記実施形態においては、レーザホルダ９は、アルミダイカスト等の熱伝導率の高い金属により形成されているとしたか、レーザダイオード２の周囲の冷却効率が高く、レーザホルダ９に放熱効果が要求されない場合は、例えば、ポリカーボネイト等の樹脂により形成する構成としても良い。
【００４２】
又、レーザホルダ９とレーザ駆動回路基板１０のいずれか一方にレーザホルダ位置決め用ピン９ｂを形成するとともに、他方にレーザホルダ位置決め用孔１０ｄを形成しておけば良いため、レーザホルダ９に上記レーザホルダ位置決め用孔１０ｄを形成し、レーザ駆動回路基板１０に上記レーザホルダ位置決め用ピン９ｂを形成する構成としても良い。
【００４３】
又、上記実施形態においては、位置決め用ピン９ｂの先端部９ｃをレーザ駆動回路基板１０に形成されたレーザホルダ位置決め用孔１０ｃに挿入することにより、レーザダイオード２を保持するレーザホルダ９をレーザ駆動回路基板１０に対して位置決めし、取り付ける構成としたが、ビスや接着剤を用いて上記レーザホルダ９をレーザ駆動回路基板１０に取り付けて、固定する構成としても良い。
【００４４】
又、上記実施形態においては、１個のビーム発生部を備えた光学走査装置に基づいて説明を行ったが、当該ビーム発生部は１個に限定されず、本発明は、２以上の複数のビーム発生部を備え、複数のレーザビームを用いて複数のラインを同時に書き込むマルチビーム型の光学走査装置にも適宜適用することができる。
【産業上の利用可能性】
【００４５】
本発明の活用例としては、レーザーダイオード（ＬＤ）を光源として用い、レーザダイオードから発生するレーザビームをポリゴンミラー等の偏向手段により偏向し、感光体上に走査することにより静電潜像を形成する光学走査装置が挙げられる。
【図面の簡単な説明】
【００４６】
【図１】は、本発明の実施形態に係る光学走査装置の全体構成を示す概略図である。
【図２】は、本発明の実施形態に係る光学走査装置におけるビーム発生部の概略構成を示す斜視図である。
【図３】は、本発明の実施形態に係る光学走査装置におけるビーム発生部の概略構成を示す断面図である。
【図４】は、本発明の実施形態に係る光学走査装置におけるレーザ駆動回路基板の概略構成を示す正面図である。
【図５】は、本発明の実施形態に係る光学走査装置におけるレーザ駆動回路基板に形成される各種孔が有する径の大きさを説明するための図である。
【図６】は、本発明の実施形態に係る光学走査装置におけるレーザダイオードをレーザ駆動回路基板に挿入した状態を示す側面図である。
【図７】は、本発明の実施形態に係る光学走査装置におけるリード用ガイド部材の概略構成を示す斜視図である。
【図８】は、本発明の実施形態に係る光学走査装置におけるレーザダイオードに設けられた各リードがリード固定用孔により保持、固定された状態を示す正面図である。
【図９】は、図４に示したレーザ駆動回路基板の変形例の概略構成を示す正面図である。
【図１０】は、図４に示したレーザ駆動回路基板の変形例の概略構成を示す正面図である。
【符号の説明】
【００４７】
１        ビーム発生部
２        レーザダイオード
２ｃ      リード
３        コリメータレンズ
４        シリンドリカルレンズ
５        回転多面鏡
７        結像レンズ
８        回転ドラム
９        レーザホルダ
１０      レーザ駆動回路基板
１０ａ    リード挿入用孔
１０ｂ    リード固定用孔
１０ｃ    開口部
１８      アパーチャ
５０      光源ユニット
Ｂ        レーザビーム
【図１】
2005070495.tif 000003
【図２】
2005070495.tif 000004
【図３】
2005070495.tif 000005
【図４】
2005070495.tif 000006
【図５】
2005070495.tif 000007
【図６】
2005070495.tif 000008
【図７】
2005070495.tif 000009
【図８】
2005070495.tif 000010
【図９】
2005070495.tif 000011
【図１０】
2005070495.tif 000012